(57)【要約】【課題】オートレース、競馬、競輪、競艇のレースの予想には、馬等の出走対象の直前の状況、例えば、競馬ならばレース直前の馬が観られるパパドックでの馬の状況が重要である。しかし、紙で印刷されているレースの予想を掲載する新聞又は雑誌では、印刷工程に掛かる時間の関係上、そのレース直前の出走対象の状況を加味した前記直前予想情報を、前記読者に伝えられなかった。【解決手段】紙に印刷して掲載したオートレース、競馬、競輪、競艇の着順を予想する新聞又は雑誌に掲載された個別のレースに係る予想記事と連動して個別のＱＲコードを記載しておき、予め取材者の携帯端末から送信された個別レースに係る直前予想情報を記憶しておき、新聞又は雑誌の読者の情報端末がそのＱＲコードを読み込んだ場合には、インターネット等のネットワークを経由して直前予想情報、又は、予想に必要な直前情報を読者の情報端末に送信する。【選択図】図１
2019133613.tif 000002
【特許請求の範囲】
【請求項１】
オートレース、競馬、競輪、競艇の少なくとも何れか１つのレース（以下「レース」という）に係る着順又は勝利者（以下「着順等」という）の予想を紙に印刷して掲載した新聞又は雑誌（以下、「新聞等」という）と連動した、個々のレースの着順等の直前予想情報（以下「直前予想情報」という）の告知システムであって、インターネット等のネットワークと接続しており、情報の送受信を行う送受信手段、情報の記憶を行う記憶装置、及び情報表示を指示する情報表示手段を具備しており、予め新聞等の取材者（以下「取材者」という）の携帯端末から送信された、新聞等に掲載された個別レースに係る取材者がレース直前に得た情報に基いた「直前予想情報」を又は「予想に必要な直前情報」を、送受信手段で受信し記憶装置に記憶しておき、新聞等の読者（以下「読者」という）の情報端末が、新聞等に掲載された個別のレースに係る予想記事と連動して記載されているＱＲコードを読み込んだ場合には、インターネット等のネットワークを経由して送受信手段にアクセスされ、情報表示手段が憶装置に記憶されている個別のレースに係る直前予想情報を送受信手段より読者の情報端末に送信することを特徴とするオートレース等の着順予想を掲載した新聞等の直前予想情報告システム
【請求項２】
読者の情報端末が新聞等の個別のレースに係る予想記事と連動して記載されているＱＲコードを読み込んだ場合に、ＱＲコードに係る個別のレースに係る直前予想情報が、記憶装置に記憶されてない場合には、まだ直前予想情報の情報入力が無い旨又はしばらく待つ事を伝える旨の情報を、情報表示手段が送信を指示することを特徴とする、請求項１に記載のオートレース等の着順予想を掲載した新聞等の直前予想情報告システム
【発明の詳細な説明】
【技術分野】
【０００１】本発明は、オートレース、競馬、競輪、競艇の少なくともうずれか１つに係る直前予想情報告システムに関する。
【背景技術】
【０００２】インターネット上での競馬優勝確率予想システム及びその方法として、利用者がインターネットを通じてサーバに接続した上で、競馬の優勝確率を予想する為に必要な情報である、競走馬のデータベース及び騎手、調教師のデータベース、該当競走別各競走馬の優勝確率を計算する競走馬優勝確率計算簿、該当競走別の該当競技時刻の騎手、調教師の優勝確率を計算する騎手、及び、調教師優勝確率計算簿をシステムに保存し、サーバに連動して上記競走馬の優勝確率計算簿と上記騎手や調教師優勝確率計算簿を構成が出来るシステムは存在した。
【先行技術文献】
【０００３】
【特許文献１】特開２００４−０５４９１７
【発明の概要】
【発明が解決しようとする課題】
【０００４】特許文献１に記載の技術では、各種の競馬に関する直前以外の過去の情報を基にして、競馬の優勝（又は勝ち馬）の優勝を予想する又は優勝確率を計算することは出来た。しかしながら、特許文献１に記載の技術では出来なかったレース前にのみ得られる有益なレースの優勝（又は勝ち馬）の優勝を予想する又は優勝確率を計算する情報を、レースの予想をする者にリアルタイムで届けることは出来なかった。そこで、その機能を有した機器又はその機器を運用するシステムが望まれていた。
【課題を解決するための手段】
【０００５】請求項１にかかる発明は、オートレース、競馬、競輪、競艇の少なくとも何れか１つのレース（以下「レース」という）に係る着順又は勝利者（以下「着順等」という）の予想を紙に印刷して掲載した新聞又は雑誌（以下、「新聞等」という）と連動した、個々のレースの着順等の直前予想情報（以下「直前予想情報」という）の告知システムであって、インターネット等のネットワークと接続しており、情報の送受信を行う送受信手段、情報の記憶を行う記憶装置、及び情報表示を指示する情報表示手段を具備しており、予め新聞等の取材者（以下「取材者」という）の携帯端末から送信された、新聞等に掲載された個別レースに係る取材者がレース直前に得た情報に基いた「直前予想情報」を又は「予想に必要な直前情報」を、送受信手段で受信し記憶装置に記憶しておき、新聞等の読者（以下「読者」という）の情報端末が、新聞等に掲載された個別のレースに係る予想記事と連動して記載されているＱＲコードを読み込んだ場合には、インターネット等のネットワークを経由して送受信手段にアクセスされ、情報表示手段が憶装置に記憶されている個別のレースに係る直前予想情報を送受信手段より読者の情報端末に送信することを特徴とするオートレース等の着順予想を掲載した新聞等の直前予想情報告システムである。【０００６】本発明によれば、紙の印刷に時間が掛かる関係で、新聞又は雑誌が読者に伝えることが出来ない「オートレース、競馬、競輪、競艇の個々のレースの直前予想情報」を読者に伝える事が出来るようになる。【０００７】請求項２にかかる発明は、読者の情報端末が新聞等の個別のレースに係る予想記事と連動して記載されているＱＲコードを読み込んだ場合に、ＱＲコードに係る個別のレースに係る直前予想情報が、記憶装置に記憶されてない場合には、まだ直前予想情報の情報入力が無い旨又はしばらく待つ事を伝える旨の情報を、情報表示手段が送信を指示することを特徴とする、請求項１に記載のオートレース等の着順予想を掲載した新聞等の直前予想情報告システムである【０００８】本発明によれば、取材記者の直前予想情報がまだ見られない事又はしばらく待てば見られるようになる事を、読者に伝える事が出来るようになる。
【発明の効果】
【０００９】オートレース、競馬、競輪、競艇の個々のレースの予想には、馬や船など競争をする対象（主役）の直前の状況、例えば競馬の場合は、レース直前の馬が見られるパドックでの馬のレース直前の状況が重要であるが、紙で印刷されてい新聞等、例えば競馬の場合なら競馬新聞等は、紙の印刷の工程に掛かる時間の関係上、レース直前の馬の状況を加味した前記直前予想情報を、前記読者に伝えられないが、このシステムにより、競馬新聞等に掲載されている個別レースの勝ち馬予想と連動して前記読者に前記直前予想情報を伝えることが出来るようになる。及び、読者は前記直前予想情報を得ることが出来るようになる。【００１０】また、オートレースや競馬新聞等の取材記者が取材したレースの直前に得た各種情報を届けられる、又は、レース直前に得られた各種情報に基づくレースの直前予想情報を、読者にレース直前又はリアルタイムで伝える事が出来るようになる。
【図面の簡単な説明】
【００１１】
【図１】オートレース等の着順予想を掲載した新聞等の直前予想情報告システムの１例を示す図である。
【発明を実施するための形態】
【００１２】本発明の実施形態の１つの例を、適宜、図面の図１を参照しながら説明する。オートレース等の着順予想を掲載した新聞等の直前予想情報告システム（１）は、情報を記録し保管しておく記憶装置（２）と送受信を行う送受信手段（３）と情報の表示を指示する情報表示手段（４）で構成されている。そして、インターネット等のネットワークを経由して、オートレース新聞、競馬新聞又は雑誌の取材記者の情報端末（８）及びオートレースや競馬の新聞又は雑誌の読者の情報端末（９）と通信可能になっている。尚、紙に印刷された競馬新聞又は雑誌（５）には、掲載された個別レースの予想記事（６）毎に連動した個別のＱＲコード（７）も掲載されている。
【００１３】例えば、競馬レースの勝ち馬予想に重要な出走馬の直前（例えば、レース直前の馬が観られるパパドックでの馬の状況）を取材した記者が、前記直前予想情報を前記取材記者の情報端末（８）からインターネット等のネットワークを経由してオートレース等の着順予想を掲載した新聞等の直前予想情報告知システム（１）に送信する。送信された前記直前予想情報を前記オートレース等の着順予想を掲載した新聞等の直前予想情報告システム（１）では前記送受信手段（３）で受信し前記記憶装置に記憶する。尚、この場合、記憶する個々の前記直前予想情報は、その前記直前予想情報に係る個別レース又は前記競馬新聞又は雑誌の掲載記事を示す番号又は記号が紐付けられて記憶される。
【００１４】そして、前記読者が、前記競馬新聞又は雑誌（５）に掲載された個別レースの予想記事（６）毎に連動しているように示されて掲載されている個別のＱＲコード（７）を、前記読者の情報端末（９）で読み取る。尚、前記個別のＱＲコード（７）には個別レース又は前記競馬新聞又は雑誌の掲載記事を示す番号又は記号が含まれている。すると、インターネット等のネットワークを経由して前記オートレース等の着順予想を掲載した新聞等の直前予想情報告システム（１）にアクセスされる。前記競馬新聞の直前予想情報告システム（１）では前記送受信手段（３）で受信した情報（個別レース又は前記競馬新聞又は雑誌の掲載記事を示す番号又は記号）に基づいて前記情報表示手段（４）が前記記憶装置（２）に記憶されている送信されてきた個別レース又は前記競馬新聞又は雑誌の掲載記事を示す番号又は記号に係る前記直前予想情報を前記前記読者の情報端末（９）に送信を指示し前記送受信手段（３）が送信する。インターネット等のネットワークを経由して前記直前予想情報を受信した前記読者の情報端末（９）は前記直前予想情報を表示し、前記読者は勝ち馬の予想に需要な前記直前予想情報を閲覧することが出来る。
【００１５】尚、前記読者が、前記競馬新聞又は雑誌（５）に掲載された個別レースの予想記事（６）毎に連動しているように示されて掲載されている個別のＱＲコード（７）を、前記読者の情報端末（９）で読み取って前記オートレース等の着順予想を掲載した新聞等の直前予想情報告システム（１）にアクセスした時に、そのアクセス又は個別のＱＲコード（７）に係る個別レース又は前記競馬新聞又は雑誌の掲載記事の前記直前予想情報が、前記記憶装置（２）に記憶されていない場合には、まだ直前予想情報の情報入力が無い旨又はしばらく待つ事を伝える旨の情報を、前記情報表示手段が送信を指示して前記送受信手段（３）が送信する。インターネット等のネットワークを経由して前情報を受信した前記読者の情報端末（９）は前記情報を表示し、前記読者はまだ前記直前予想情報が見られない又は見るのにはしばらく待つ必要を認識することが出来る。
【産業上の利用可能性】
【００１６】本発明は、オートレース、競馬、競輪、競艇の少なくとも何れか１つのレースに係る着順又は勝利者の予想の直前予想情報告知の運用システムに利用することが可能である。
【符号の説明】
【００１７】オートレース等の着順予想を掲載した新聞等の直前予想情報告システム（１）
記憶装置（２）
送受信手段（３）
情報表示手段（４）
予想記事（６）
ＱＲコード（７）
取材記者の情報端末（８）
読者の情報端末（９）
【図１】
2019133613.tif 000003